(57)【要約】新生児が安心するための支持装置は、新生児の人間工学的な支持手段（２）、少なくとも電子装置（３）のための供給システム、少なくとも音再生システム（４，５，６）、少なくともレバレッジシステム（７）、少なくとも加熱手段（８）、少なくとも音、温度、レバレッジの機械的動作の制御／駆動／取得システム（９）を備える。前記音再生システムは、人間の声、呼吸及び心音を再生し、母親の声を再生するために支持部の外側に分散する多数のスピーカ、支持部の内側に配置される多数のスピーカを備える。この結果、放出された音により、振動を再生するために支持部の最外層を、穏やかに振動させることができる。前記加熱手段は、新生児に接触する支持構造の表面部を加熱する。前記レバレッジシステムにより、呼吸を模倣するように支持部の外表面を拡張及び縮小可能とする。前記音、温度、レバレッジの機械的動作の制御／駆動／取得システムは、加熱手段、音再生手段及びレバレッジ動作が駆動するように、データを取得して記憶し、信号を処理する。
2014504935.tif 000002
【特許請求の範囲】
【請求項１】
少なくとも電子装置（３）のための電力供給システムと、少なくとも音再生システム（４，５，６）と、少なくともレバレッジシステム７と、少なくとも加熱システム（８）と、少なくとも音、温度、レバレッジの機械的動作の制御／駆動システム（９）と、を備え、前記音再生システムは、人の声、呼吸及び心音を再生し、母親の声を再生するための支持部の外側に分散する多数のスピーカ（４）と、支持部の内側に配置された多数のスピーカ（５，６）と、を備え、出力された音により、振動を再生するために支持部の最外層を振動可能とし、
前記加熱手段（８）は、新生児に接触する支持構造の表面部を加熱し、
前記レバレッジシステム（７）は、呼吸を模倣するために支持部の外表面を拡張及び縮小可能とし、
前記音、温度、レバレッジの機械的動作の制御／駆動システム（９）は、加熱手段（８）、音再生手段（４，５，６）及びレバレッジ動作が駆動するように信号を処理し、
さらに、新生児の人間工学的な支持手段（２）と、電子制御コンソール、マイクロフォン等の音取得装置、及び、呼吸中の母親の胴体の容積変化を測定するセンサに接続されるゴムバンドを有する音及びレバレッジの機械的な取得システム（９）と、心音を取得するための装置と、を備え、前記取得システムはデータを取得して記憶可能であることを特徴とする新生児が安心するための支持装置。
【請求項２】
前記新生児の支持手段（２）は、外方被覆部と内方構造部とを備え、前記外方被覆部は、シリコン、樹脂等の身体表皮と同様な硬度を有し、前記内方構造部は、ポリウレタンフォーム、ポリスチレン等の、構造を具体化し、かつ、柔らかくて軽く、耐久性のあるような材料で実現されることを特徴とする請求項１に記載の支持装置。
【請求項３】
前記音再生システムは、上方に配置される多数のスピーカ（４）を備えたことを特徴とする請求項１又は２に記載の支持装置。
【請求項４】
前記加熱手段（８）は、体温まで支持構造の表面部を加熱することを特徴とする請求項１から３のいずれか１項に記載の支持装置。
【請求項５】
前記加熱手段（８）は、支持手段（２）の新生児の支持表面を均一に加熱するように、支持部の最外層に設けられることを特徴とする請求項１から４のいずれか１項に記載の支持装置。
【請求項６】
前記音、温度、レバレッジの機械的動作の制御／駆動／取得システム（９）と、前記レバレッジシステム（７）とは、支持手段（２）内に取外容易な容器に設けられることを特徴とする請求項１から５のいずれか１項に記載の支持装置。
【請求項７】
前記レバレッジシステム（７）は、支持手段（２）に収容されることを特徴とする請求項１から６のいずれか１項に記載の支持装置。
【請求項８】
前記音、温度、レバレッジの機械的動作の制御／駆動／取得システム（９）は、電子制御コンソール、マイクロフォン等の音取得装置、母親の胴部の容量変化を測定するセンサに接続される弾性バンド、及び、心音取得のための装置を備えることを特徴とする請求項１から７のいずれか１項に記載の支持装置。
【請求項９】
前記電子装置（３）の電力供給システムは、バッテリーであるか、又は、主電源に直接接続されていることを特徴とする請求項１から８のいずれか１項に記載の支持装置。
【請求項１０】
前記支持手段（２）は、ハーネス、バンド等の新生児のための安全保持装置を備え、該安全保持装置は、揺動表面等に装着可能であることを特徴とする請求項１から９のいずれか１項に記載の支持装置。
【請求項１１】
前記制御／駆動／取得システム（９）は、音再生システム（４，５，６）、温度、レバレッジシステム（７）の動作を同期又は非同期で駆動制御可能とし、前記レバレッジシステム（７）の動作により音再生システム（４，５，６）と同期させることを特徴とする請求項１から１０のいずれか１項に記載の支持装置を機能させる方法。
【発明の詳細な説明】
【技術分野】
【０００１】
本発明は、授乳期間のみならず、今後数ヶ月に亘って新生児の母親とのスキンシップを模倣することを意図した、赤ん坊が快適でいるための支持装置に関する。特に、この装置は新生児の母親の心臓の鼓動、体温、声及び呼吸を模倣する。
【背景技術】
【０００２】
新生児が快適でいるための装置の技術分野では、母親と新生児の双方のための人間工学に基づく枕及び手、遊んでいるか寝ている間、新生児を模倣するための音響装置を利用可能である。よりよい新生児の成長のために、小児科医は、妊娠後の最初の数ヶ月の間であっても、母親／新生児の頻繁な触れ合いを推奨しているが、母親は、肉体的、個人的及び職業的な種々の理由により子供と触れ合う時間を減らさなければならないといったことがよく起こっている。
【先行技術文献】
【特許文献】
【０００３】
【特許文献１】米国出願公開第２００９／１５６０８９号公報
【特許文献２】米国特許第７４７５４４１号公報
【特許文献３】米国特許第７４６４４２４号公報
【特許文献４】米国特許第６１８９４８７号公報
【特許文献５】米国出願公開第２００５／２７８８５４号公報
【発明の概要】
【発明が解決しようとする課題】
【０００４】
本発明の目的は、新生児が最大限快適にいられるようにし、１日の幾らかの時間母親を助けるために、母親／新生児の触れ合いと同様な触れ合い時間が少なくなるという技術的な問題を解決する方法を提供することである。本装置は、新生児が請求項１に記載された人間工学的な特徴を備えた装置で休んでいるとき、母親の心音、体温、声及び呼吸を模倣するようにしている。
【課題を解決するための手段】
【０００５】
本発明は、前記課題を解決するための手段として、
新生児が安心するための支持装置を、
少なくとも電子装置（３）のための電力供給システムと、少なくとも音再生システム（４，５，６）と、少なくともレバレッジシステム７と、少なくとも加熱システム（８）と、少なくとも音、温度、レバレッジの機械的動作の制御／駆動システム（９）と、を備え、前記音再生システムは、人の声、呼吸及び心音を再生し、母親の声を再生するための支持部の外側に分散する多数のスピーカ（４）と、支持部の内側に配置された多数のスピーカ（５，６）と、を備え、出力された音により、振動を再生するために支持部の最外層を振動可能とし、
前記加熱手段（８）は、新生児に接触する支持構造の表面部を加熱し、
前記レバレッジシステム（７）は、呼吸を模倣するために支持部の外表面を拡張及び縮小可能とし、
前記音、温度、レバレッジの機械的動作の制御／駆動システム（９）は、加熱手段（８）、音再生手段（４，５，６）及びレバレッジ動作が駆動するように信号を処理し、
さらに、新生児の人間工学的な支持手段（２）と、電子制御コンソール、マイクロフォン等の音取得装置、及び、呼吸中の母親の胴体の容積変化を測定するセンサに接続されるゴムバンドを有する音及びレバレッジの機械的な取得システム（９）と、心音を取得するための装置と、を備え、前記取得システムはデータを取得して記憶可能としたものである。
【発明の効果】
【０００６】
本装置は、サイズを抑え、女性の胸／胴のような形状であり、又、人体のように柔らかく、ロッキングチェア等に納めることができるという利点がある。
他の利点は、２つのモデルすなわち「開放耳」及び「閉鎖耳」で、母親の声及び呼吸を再生することである。「閉鎖耳」の位置では、一方の開放耳と、新生児が母親の胸で休んでいるときと全く同じように支持部に直接接触する他方の開放耳とを有する新生児の身体と頭は支持部表面に支持され、そうでなければ新生児は「開放耳」の位置である。また、音及び振動が伝達される母親の胸郭に直接接触することにより新生児が感じる振動効果も再生される。
【図面の簡単な説明】
【０００７】
【図１】本発明の実施形態の斜視図である。
【図２】図１の側面図である。
【発明を実施するための形態】
【０００８】
図面を参照すると、本発明に係る装置は、図１及び図２に示すように、大略、参照符号１によって示されている。この装置は、新生児用の人間工学に基づく支持手段２、少なくとも電子装置３のための電力供給システム、少なくとも音響再生システム４，５，６、少なくともレバレッジシステム７、少なくとも加熱システム（加熱手段）８、少なくとも音、温度、レバレッジ（てこ）の機械的動作の制御／駆動／取得システム９を備える。特に、前記音響再生システム４，５，６は、人の声、呼吸及び心音を再生するものであり、母親の声を再生するために、支持部の外側に伝える、支持部の上方部に配置された多数のスピーカ４と、支持部の内側に配置された多数のスピーカ５，６とを備え、振動を再生するために、出力音が支持部の最外層でのなめらかな振動を可能とすることを特徴とする。
【０００９】
図１を参照すると、新生児の人間工学的な構造（支持手段）２は、例えば、女性の胴体形状等の異なる形状をとることができ、外側の被覆部と内方構造部とによって特徴付けられる。前記被覆部（約２〜３ｃｍ厚）は人体の表皮と同様な硬度を有し、例えば、シリコン、樹脂等の柔らかい材料で形成される。内方構造部は、その代わりに、その構造を形成するような、そして、例えば、ポリウレタンフォーム、ポリスチレン等の、柔らかくて軽く、耐久性のある材料で形成される。
【００１０】
特定の実施形態では、前記支持システム（支持手段）２は、例えば、ハーネス、バンド等の新生児のための安全保持装置を備える。
【００１１】
また図２を参照すると、前記加熱手段８は、約３６．５度の平熱で新生児に触れるように支持構造の表面部を加熱する。例えば、加熱手段８は、支持部の最外層に電気抵抗を採用することによって実現される。この結果、支持システム（支持手段）２での新生児の支持面の前方部が均一に加熱される。
【００１２】
母親の呼吸を再生するために、胸郭と直接触れることによって母親の呼吸に応じて新生児が感じる拡張／収縮の効果は、支持構造（支持手段）２に設けたレバレッジシステム７によって再生される。この結果、レバー角度の僅かな変化により、好ましくは音の再生と同期して、支持部（支持手段）２の外表面を拡張及び収縮させることができる。
【００１３】
前記音、温度、レバレッジの機械的な動作の制御／駆動／取得システム９は、前記支持部内の取外容易な容器に収容され、加熱手段８、音再生システム４，５，６及びレバレッジシステム７を駆動するように、信号を要求し、記憶し、処理する。
【００１４】
特に、前記音の制御／駆動／取得システム９は、電子制御コンソール、例えば、マイクロフォン等の音取得装置、呼吸中である母親の胴体の容積変化を測定するセンサに連結されたゴムバンド、及び、心音を取得するための装置を備える。
【００１５】
特に、図２の実施形態では、前述の電子装置は、バッテリー供給システム３から電力が供給されるか、あるいは、主電源に直接電気接続されている。前記バッテリーは、数時間駆動する自立性があり、家庭用電源に接続された支持部のハウジング内に配置されることにより再充電可能である。
【００１６】
前記装置の機能モードにより、音の制御／駆動／取得システム９で、音再生システム４，５，６、加熱手段８、レバレッジシステム７の動作を同期あるいは非同期で機能させることができる。
【００１７】
特に、レバレッジシステム７の動作により、音再生システム４，５，６と同期するのが好ましい。
【００１８】
前述の実施形態は、本発明の装置の例を制限するものではないことは明らかである。
【００１９】
またこの装置は、異なる形状や大きさで実現できるという利点がある。すなわち、それは（揺動するもの、ベッド、ソファ）の異なる面に収容でき、容易に搬送することができる。
【符号の説明】
【００２０】
２…支持手段
３…電子装置
４，５，６…音響再生システム
７…レバレッジシステム
８…加熱手段
９…音、温度、レバレッジ（てこ）の機械的動作の制御／駆動／取得システム
【図１】
2014504935.tif 000003
【図２】
2014504935.tif 000004
【国際調査報告】
2014504935.tif 000005
2014504935.tif 000006
2014504935.tif 000007